(57)【特許請求の範囲】
【請求項１】
主カバー（２）後端部とリヤカバー（３）前端部間を弾性板（４）で一体連結すると共に、主カバー（２）の左右方向中央部に揺動支点（３１）を設け、弾性板（４）に対し迂回並設した揺動アーム（５，３５）で主カバー（２）とリヤカバー（３）間を係合するロータリ耕耘装置であって、中央の揺動アーム５の突設端部は二又状に分岐してその分岐部をリヤカバー３に縦方向に設けた主フレーム３２の前部に、ボルト，ナットまたは溶接等で固着し、主フレーム３２の外側方にはサブフレーム３４，３４が並設されており、サブフレーム３４の前端部と主カバー２後端部間で弾性板４上方に、板バネ材である側方揺動アーム３５が橋渡し状に取り付け、リヤカバー（３）の中央または側方に切欠（６，７）を設け、この切欠（６，７）を着脱自在の蓋板（８，９）で覆うことを特徴とするロータリ耕耘装置。
【発明の詳細な説明】
【０００１】
【発明の属する技術分野】
この発明は、ロータリ耕耘装置に関する。この発明は、ロータリ耕耘装置の主カバーに対し後方のリヤカバーを、弾性板体と揺動アームを介して上下左右揺動自在に取り付けるものにおいて、該、リヤカバー部に別作業機取り付け用時の切欠部を開口したものに関する。
【０００２】
【従来の技術、および、発明が解決しようとする課題】
この発明のように、主カバー後端とリヤカバー前端を間隔を開けて位置させ、この間隔部を弾性板で一体的に動きやすく接続しながら、この間隔部を弾性板上方に並設した中央又は側方アームにより、リヤカバーの動きを上下左右にある程度規制して動かすようにして、さらにリヤカバーの左右両側方又は中央部に開口切欠を設けた構成のものは従来なかった。
【０００３】
従来の通常のものは、主カバー後端縁に沿って設けた軸を中心としてリヤカバーの後部が上下のみ揺動するものにおいて、リヤカバーの左右両側方と中央部に開口切欠を設けるものであった。このようなものでは、リヤカバーの開口切欠部に別作業機を取り付けて作業する場合に、リヤカバーの動きが上下方向にしか動かないので、地表面に対する追従性が悪い欠点があった。
【０００４】
また、特殊な従来のものとして、リヤカバーの対地追従性を高めるため、主カバー後端縁に沿って設けた軸を中心として上下のみ揺動するリヤカバーを前後二分割し、リヤカバーの前後方向に分割した中央部に、弾性体を挿入した揺動式リヤカバーが近年登場してきたが、このものは後部リヤカバーが前後方向に短いため開口切欠を設けることができなかった。このため別作業機を取り付けて作業する場合に、ロータリ耕耘具と別作業機の間隔が切欠が無い分遠くなり、後方へのオーバーハング量が大きく旋回時の取り扱いや、前後バランスの点で使いにくくなる欠点を生じている。
【０００５】
【課題を解決するための手段】
この発明は、従来装置のこのような不具合を解消しようとするものであって、次のような技術的手段を講じた。即ち、主カバー（２）後端部とリヤカバー（３）前端部間を弾性板（４）で一体連結すると共に、主カバー（２）の左右方向中央部に揺動支点（３１）を設け、弾性板（４）に対し迂回並設した揺動アーム（５，３５）で主カバー（２）とリヤカバー（３）間を係合するロータリ耕耘装置であって、中央の揺動アーム５の突設端部は二又状に分岐してその分岐部をリヤカバー３に縦方向に設けた主フレーム３２の前部に、ボルト，ナットまたは溶接等で固着し、主フレーム３２の外側方にはサブフレーム３４，３４が並設されており、サブフレーム３４の前端部と主カバー２後端部間で弾性板４上方に、板バネ材である側方揺動アーム３５が橋渡し状に取り付け、リヤカバー（３）の中央または側方に切欠（６，７）を設け、この切欠（６，７）を着脱自在の蓋板（８，９）で覆うことを特徴とするロータリ耕耘装置の構成とする。
【０００６】
【実施例】
図例は、農用トラクター機体１０の後部に昇降自在に取り付けて、土壌表面を掘削し走行するロータリ耕耘装置１である。このロータリ耕耘装置１の回転掘削部である、耕耘刃２５，２５．．の後部を覆うリヤカバー３部に、この発明を折り込んでいる。
【０００７】
ロータリ耕耘装置１は、農用トラクター機体１０の後端上方に固設した左右方向中央のヒッチ１２にトップリンク１３前端を枢支し、該トップリンク１３後端にマスト１４前端を枢支している。また、農用トラクター機体１０の後端左右下方にロワーリンク１５，１５の前端部を枢支し、該ロワーリンク１５後端は左右方向中央近傍の伝動ケース１６より左右側方に突出したビーム１７，１８に固設した支持プレート１９，１９前端に枢結され、該ロワーリンク１５，１５中途部には左右のリフトロッド２０，２０下端を枢支して、該リフトロッド２０，２０上端を機体１０に備えたリフトアーム２１，２１後端に枢結しており、リフトアーム２１を図示しないアクチュエータを介して、上下回動させることによりロータリ耕耘装置１を昇降可能としている。
【０００８】
そして、右方のビーム１８外側端にはサイドプレート２２が固設され、左方のビーム１７外側端にはサイド伝動ケース２３が固設され、該サイドプレート２２とサイド伝動ケース２３下端間に耕耘パイプ２４が軸架され、該耕耘パイプ２４外周に耕耘刃２５，２５．．．を取り付ける爪ホルダー２６，２６．．が複数個溶接されている。
【０００９】
耕耘パイプ２４の駆動は、農用トラクター機体１０の後端に突出したＰＴＯ軸２８より自在継手２９を介して中央近傍の伝動ケース１６の入力軸３０に伝達され、該入力軸３０より図示しないがベベルギヤを介して左方のビーム１７内の伝動軸よりサイド伝動ケース２３内上部のスプロケットを駆動し、チェーンを介して耕耘パイプ２４の側端部下部のスプロケットを駆動する通常の駆動伝達としている。耕耘パイプ２４の駆動回転による耕耘土の飛散を防止するため、矢印「イ」方向に回転する耕耘刃２５，２５．．．の先端の回転軌跡上方を主カバー２で覆っている。主カバー２に対し間隔を開けて後方を覆うリヤーカバー３との間を両者の幅と略同幅の幅広の弾性板４を介して、その上端部と下端部を夫れ夫れ主カバー２の後端部とリヤカバー３の前端部にボルト，ナット等の締付具２５，２５で一体的に取り付けている。これらの構成により、回転する耕耘刃２５，２５．．．．の上部から後方部の全体を覆っている。
【００１０】
この状態ではリヤカバー３は弾性板４を介して主カバー２に取り付けられているだけであり、作業時には飛散する掘削泥土がリヤカバー３に当たったり、農用トラクター機体１０の前進に伴い掘削泥土の表面凹凸により、リヤカバー３の上下や左右や捩じれの動きは弾性板４の弾性力で支持され規制され復元されるだけとなり、例えば弾性板４が帆布のように弾性力の弱いものであると、リヤカバー３の動きが規制されずリヤカバー３の位置変動が激しくなる。また剛体のロッド複数本で主カバー２とリヤカバー３を連結してしまうと、弾性板４を介した自由度が無くなり、主カバー２に対するリヤカバー３側の上下左右方向への動きがなくなる。
【００１１】
図例では、このような不具合を少なくするため、主カバー２の左右方向中央部にピローボール等で揺動支点３１を設け、この揺動支点３１から後方に向かって二又状の中央揺動アーム５を突設しており、この突設端部にリヤカバー３を取り付けている。中央揺動アーム５の突設端部は二又状に分岐しており、その分岐部をリヤカバー３に縦方向に設けた主フレーム３２の前部に、ボルト，ナットまたは溶接等で固着している。リヤカバー３は鉄板製の薄板（図例では１〜２ｍｍ程度。）であって、ロータリ耕耘装置１の略全幅（図例では２ｍ程度。）に亘って吊り下げられ、リヤカバー３後端部を袋状に折り返した接地面３３として加圧時の左右方向の強度を保っており、前後方向の強度を前述の主フレーム３２，３２で保っている。主フレーム３２は下部開口「コ」字状の薄鉄板を、リヤカバー３上面形状に沿って溶接して一体化している。
【００１２】
主フレーム３２の外側方にはサブフレーム３４，３４が並設されており、サブフレーム３４の前端部と主カバー２後端部間で弾性板４上方に、板バネ材である側方揺動アーム３５が橋渡し状に取り付けられている。該側方揺動アーム３５は側方視弓型に構成され幅方向の左右端部に一対備えられており、前端部を主カバー２にボルトで係止し突出後端部にピン３６を介して、前述のサブフレーム３４を上下方向移動可能に取り付けている。リヤカバー３は、これら中央揺動アーム５と側方揺動アーム３５のいずれか一方、又は両方により前後方向中間部で有る主カバー２とリヤカバー３の間隔部をある程度規制されながら揺動可能に取り付けた、センター揺動方式のロータリとしている。
【００１３】
また、主フレーム３２には受金４９が設けられ、主カバー２から後方上方に突設する左右のステー５０，５０に回動自在に取り付けたコマ５１にスライド取り付けするプッシュプルロッド５２の下端部を軸着している。図示しないがプッシュプルロッド５２をコマ５１に対して伸縮方向固定すると、リヤカバー３の主カバー２に対する側方視の取り付け角度は固定される。スライド自在のプッシュプルロッド５２を、コマ５１の上下に取り付けた上下バネ５３，５４部の加圧力を調整すると、リヤカバー３はバネに逆らって揺動可能に支持される。
【００１４】
該、リヤカバー３部を平面図で説明すると、リヤカバー３の左右方向中央部には、後方に向かって拡開した略三角形状の中央切欠６が設けられ、左右方向両側端部には後方に向かって拡開した台形状の側方切欠７，７を設け、それぞれの切欠には中央蓋板８と左右の側方蓋板９，９を着脱自在に取り付けている。詳細は後述するが、作業の目的に応じ中央蓋板８のみ取り外したり、側方蓋板９の一方や両方を取り外して、別作業機を取り付けたリヤカバー３の均平作業を行うことができる。
【００１５】
ロータリ耕耘装置１の左右ビーム１７，１８に取り付けた支持プレート１９，１９の後部には支持パイプ３７，３７の前端部が軸着されており、マスト１４部に設けたハンドル３８を回転することにより、後部を上下動調節する。支持パイプ３７，３７の後部には、保持パイプ３９，３９が長手方向伸縮調節自在に取り付けられており、該保持パイプ３９の突設後端部には角バー４０が左右方向に一体的に取り付けられている。角バー４０の左右方向中央部には中央ヒッチ４１が設けられ、左右両側にはパイプ状の側方ヒッチ４２，４２が縦方向に設けられている。該側方ヒッチ４２には、尾輪４３の支柱４４が高さ調節自在に取り付けられている。ハンドル３８を廻して尾輪４３を上下調節すると耕耘刃２５の高さ位置が変わり、尾輪４３を下げると耕深が浅くなり、尾輪４３を上げると耕深が深くなる。
【００１６】
次に、ロータリ耕耘装置１のリヤカバー３に、畦立て用の作業装置を中央に取り付ける場合について説明する。左右の尾輪４３と支柱４４を取り去った保持パイプ３９を支持パイプ３７に押し込み、保持パイプ３９後部の角バー４０をリヤカバー３上方に近付けるように調節する。リヤカバー３の中央蓋板８を取り去った中央切欠６部に畦立器４５の前端部を位置させるよう調節し、角バー４０に別部品として新たに取り付けた作業機取付パイプ４６に畦立器４５の支柱４７を装着し、図示しないボルト等で固定する。畦立器４５は支柱４７の下端部の軸４８を中心にサクション角度を調節可能としている。畦立器４５はこれらの、支柱４７の上下調節とサクション角調節構成により、尾輪４３，４３を外しても一定の耕深を保って走行できる。畦立て用の作業装置を中央に取り付けた時は、リヤカバー３両側の側方蓋板９，９は取り付けたままとしておく。
【００１７】
他の畦立作業として、圃場の外周部に設ける畦畔の内側の泥土を圃場内方に移動させる片倍土作業がある。この時は、ロータリ耕耘装置１のリヤカバー３両側に取り付けた側方蓋板９，９を共に外し、支持パイプ３７に対し押し込んだ保持パイプ３９の後端側方ヒッチ４２，４２の一方に片倍土器（図示せず。）を取り付け、他方の側方ヒッチ４２には尾輪４３を取り付けたままとして、前進して作業する片倍土作業を安定した高さを保持した状態で行う。この時は、中央蓋板８は取り付けたままとしておく。
【００１８】
このように、中央または一側に畦立装置を取り付けて作業を行う場合、耕耘刃２５，２５．．．により掘削飛散する掘削泥土は、例えば中央畦立てであれば、畦立器４５の前縁４５ａにより左右に分けられリヤカバー３の接地面３３で押圧され、上面が均平状になる。このとき、リヤカバー３は、弾性板４と揺動アーム５で有る程度左右方向に揺動自由に取り付けられているから、プッシュプルロッドの加圧力をバネ調節して、地表面への追従性を良くでき均平度を向上できる。
【００１９】
図４で示すものは、中央揺動アーム５の揺動支点３１部を、主カバー２部に取り付ける部分の取付別実施例であり、以下説明する。この発明では、前後方向中間部である間隔部が動くセンター揺動方式のロータリは、主カバー２に対し左右方向中心近傍の中央揺動アーム５または、左右両側方の側方揺動アーム３５のいずれかまたは両方でリヤカバー３を吊持して、弾性板４の連結のみによる変形を有る程度規制してリヤカバー３の動き過ぎを防止している。
【００２０】
中央揺動アーム５の前端部に設けたピローボールから成る揺動支点３１は、二枚の板が対向した取付支持板５５間に、横方向のピン等の軸５６で首振り自在に取り付けられている。そして、この軸５６は取付支持板５５の前後方向の長孔５７に取り付けられており、リヤカバー３が前向きに押されるときは長孔５７内を前後方向に揺動支点３１と軸５６は同時に移動可能としている。
【００２１】
さらに、取付支持板５５には前受板５８が一体的に取り付けられ、中央揺動アーム５側には後受板５９が一体的に取り付けられ、前後の受板５８，５９間には突っ張りバネ６０を有するロッド６１が取り付けられている。ロッド６１は取付支持板５５の長孔５７と略平行で上方に取り付けられているから、揺動支点３１と軸５６が前方に移動するにつれバネの反発力が強くなり、リヤカバー３の接地面３３の押圧荷重も増加し均平性能が向上する。
【００２２】
【発明の作用効果】
この発明は、主カバー（２）後端部とリヤカバー（３）前端部間を弾性板（４）で一体連結すると共に、主カバー（２）の左右方向中央部に揺動支点（３１）を設け、弾性板（４）に対し迂回並設した揺動アーム（５，３５）で主カバー（２）とリヤカバー（３）間を係合するロータリ耕耘装置であって、中央の揺動アーム５の突設端部は二又状に分岐してその分岐部をリヤカバー３に縦方向に設けた主フレーム３２の前部に、ボルト，ナットまたは溶接等で固着し、主フレーム３２の外側方にはサブフレーム３４，３４が並設されており、サブフレーム３４の前端部と主カバー２後端部間で弾性板４上方に、板バネ材である側方揺動アーム３５が橋渡し状に取り付け、リヤカバー（３）の中央または側方に切欠（６，７）を設け、この切欠（６，７）を着脱自在の蓋板（８，９）で覆うことを特徴とするロータリ耕耘装置としたので、リヤカバー（３）の切欠（６，７）の蓋板（８，９）を取り外すだけで、畦立て装置等の別作業機をロータリ耕耘装置（１）に近付けて取り付けることができながら、リヤカバー（３）の前後方向中間部の揺動が別作業機に制限されないから、別作業機取付時にも均平性能や前後バランスを保って、オーバーハング少なく容易に運転することができる。
【図面の簡単な説明】
【図１】 要部全体の平面図である。
【図２】 農用トラクターに取り付けた、全体側面図である。
【図３】 ロータリ耕耘装置の、全体斜視図である。
【図４】 要部別実施例の、拡大側面図である。
【符号の説明】
１ ロータリ耕耘装置
２ 主カバー
３ リヤカバー
４ 弾性板
５ 中央揺動アーム
６ 中央切欠
７ 側方切欠
８ 中央蓋板
９ 側方蓋板
３５ 側方揺動アーム
【図１】
0003733681.tif 000002
【図２】
0003733681.tif 000003
【図３】
0003733681.tif 000004
【図４】
0003733681.tif 000005